(57)【要約】      （修正有）【課題】耐摩耗性に優れた吸汗速乾上着を提供する。【解決手段】ナイロン系またはポリエステル系の高対摩耗性素材を含有した吸汗速乾生地にて上着本体が構成され、前記上着本体における任意の要部に、前記上着本体よりも前記ナイロン系またはポリエステル系の高対摩耗性素材の含有率が高い耐摩耗性生地１４が取り付けられている。【選択図】図１
0003224014.tif 000002
【実用新案登録請求の範囲】
【請求項１】
コーデュラ（登録商標）素材を含有した吸汗速乾生地にて上着本体が構成され、前記上着本体における任意の要部に、前記上着本体よりもコーデュラ素材の含有率が高い耐摩耗性生地が取り付けられていることを特徴とする耐摩耗性を向上させた吸汗速乾上着。
【請求項２】
上着本体は、綿素材２０〜６０質量％、コーデュラ素材８０〜４０質量％、合計１００質量％の混紡糸にて構成され、耐摩耗性生地はコーデュラ素材１００質量％の糸にて構成されていることを特徴とする請求項１記載の耐摩耗性を向上させた吸汗速乾上着。
【請求項３】
上着本体を構成する吸汗速乾生地は、メッシュ生地、天竺生地、鹿の子生地、ワッフル生地のいずれかにて構成されていることを特徴とする請求項１または２記載の耐摩耗性を向上させた吸汗速乾上着。
【請求項４】
耐摩耗性生地は、平織生地、綾織生地、ニット生地のいずれかにて構成されていることを特徴とする請求項１から３までのいずれか１項記載の耐摩耗性を向上させた吸汗速乾上着。
【請求項５】
上着本体を構成する吸汗速乾生地は、生地を吸汗速乾仕上げしたものと、吸汗速乾用の異形断面糸で構成された生地にて構成されたものとのいずれかであることを特徴とする請求項１から４までのいずれか１項記載の耐摩耗性を向上させた吸汗速乾上着。
【請求項６】
上着本体における襟、前立て、袖口、肘、肩、ポケット、裾の少なくともいずれかに耐摩耗性生地が取り付けられていることを特徴とする請求項１から５までのいずれか１項記載の耐摩耗性を向上させた吸汗速乾上着。
【請求項７】
上着本体へ耐摩耗性生地が縫製または接着によって取り付けられていることを特徴とする請求項１から５までのいずれか１項記載の耐摩耗性を向上させた吸汗速乾上着。
【考案の詳細な説明】
【技術分野】
【０００１】
本考案は、耐摩耗性を向上させた吸汗速乾上着に関する。
【背景技術】
【０００２】
この種の上着として作業服が知られている。市場における公知の作業服として、主に２種類が流通している。その一つは、作業服を構成する上着本体の全体に、摩耗に弱い部分を含めて同じ生地を用いたものである。このような作業服は、摩耗に対する措置が施されていないために、服の肩、肘、ポケットなどの部分が破れやすく、したがって服の寿命が短く、資源の無駄になりやすい。もう一つは、摩耗に弱い部分に、ポリエステルやナイロンなどの少しの耐摩耗性を有した普通の化学繊維素材を用いたものである。このような作業服は、一定時間内の耐摩耗効果を果たすことはできるが、長時間にわたる強い摩擦には耐えられない。つまり、時間を経ると破れてしまうので、十分な耐摩耗性を有するとはいえない。
【０００３】
特許文献１には、上着を含む上下続きの構造となった作業服であって、上着本体と、肩や肘の部分などとを同じ生地で構成したものが記載されている。
【先行技術文献】
【特許文献】
【０００４】
【特許文献１】実用新案登録第３０６４５５０号明細書
【考案の概要】
【考案が解決しようとする課題】
【０００５】
そこで本考案は、このような問題点を解決して、耐摩耗性に優れた吸汗速乾上着を得ることを目的とする。
【課題を解決するための手段】
【０００６】
この目的を達成するため本考案の耐摩耗性を向上させた吸汗速乾上着は、コーデュラ（登録商標）素材を含有した吸汗速乾生地にて上着本体が構成され、前記上着本体における任意の要部に、前記上着本体よりもコーデュラ素材の含有率が高い耐摩耗性生地が取り付けられていることを特徴とする。
【０００７】
このような構成であると、高強度で優れた耐久性を有するコーデュラ素材を高率で含有する耐摩耗性生地が上着本体における要部に取付けられているため、公知の作業服における摩耗に弱く破れやすいという欠点を大幅に改善することができる。また、上着本体も、耐摩耗性生地ほどではないが適量のコーデュラ素材を含有しているため、公知の作業服に比べて耐摩耗性を向上させることができる。さらに、上着は吸汗速乾生地にて構成されているため、良好な着心地を達成することができる。
【０００８】
本考案によれば、上記の耐摩耗性を向上させた吸汗速乾上着において、上着本体は、綿素材２０〜６０質量％、コーデュラ素材８０〜４０質量、合計１００質量％の混紡糸にて構成され、耐摩耗性生地はコーデュラ素材１００質量％の糸にて構成されていることが好適である。
【０００９】
このような構成であると、耐摩耗性生地はコーデュラ素材１００質量％の糸にて構成されているため、十分な耐摩耗性を発現することができ、上着本体も、コーデュラ素材８０〜４０質量％の混紡糸にて構成されていることから、所要の耐摩耗性を発揮することができる。しかも上着本体は綿素材２０〜６０質量％の混紡糸にて構成されているため、それに応じた吸汗性を有するとともに、天然繊維であることによる着心地の良さを発揮することもできる。
【００１０】
本考案によれば、上記の耐摩耗性を向上させた吸汗速乾上着において、吸汗速乾生地は、メッシュ生地、天竺生地、鹿の子生地、ワッフル生地のいずれかにて構成されていることが好適である。
【００１１】
このような構成であると、上着を構成する生地の構造自体が吸汗速乾性を発揮するものであるため、良好な吸汗速乾性を発揮することができる。
【００１２】
本考案によれば、上記の耐摩耗性を向上させた吸汗速乾上着において、耐摩耗性生地は、平織生地、綾織生地、ニット生地のいずれかにて構成されていることが好適である。
【００１３】
このような構成であると、耐摩耗性生地の構造自体が高強度化に寄与するものであるため、良好な耐摩耗性を発揮することができる。
【００１４】
本考案によれば、上記の耐摩耗性を向上させた吸汗速乾上着において、上着本体を構成する吸汗速乾生地は、生地を吸汗速乾仕上げしたものと、吸汗速乾用の異形断面糸で構成された生地にて構成されたものとのいずれかであることが好適である。
【００１５】
このような構成であると、生地自体の構造にもとづいて、良好な吸汗速乾性能を発揮することができる。
【００１６】
本考案によれば、上記の耐摩耗性を向上させた吸汗速乾上着において、上着本体における襟、前立て、袖口、肘、肩、ポケット、裾の少なくともいずれかに耐摩耗性生地が取り付けられていることが好適である。
【００１７】
このような構成であると、上着本体における特に摩耗しやすい箇所に耐摩耗性生地が取り付けられているため、良好な耐摩耗性能を発揮することができる。
【００１８】
本考案によれば、上記の耐摩耗性を向上させた吸汗速乾上着において、上着本体へ耐摩耗性生地が縫製または接着によって取り付けられていることが好適である。
【００１９】
このような構成であると、耐摩耗性生地を確実に上着本体に取り付けることができる。
【考案の効果】
【００２０】
本考案によると、高強度で優れた耐久性を有するコーデュラ素材を高率で含有する耐摩耗性生地が上着本体における要部に取付けられているため、公知の作業服における摩耗に弱く破れやすいという欠点を大幅に改善することができる。
【図面の簡単な説明】
【００２１】
【図１】本考案の実施の形態の耐摩耗性を向上させた吸汗速乾上着の前面図である。
【図２】同吸汗速乾上着の背面図である。
【図３】同吸汗速乾上着における肩の部分の耐摩耗性生地を示す図である。
【図４】同吸汗速乾上着における肘の部分の耐摩耗性生地を示す図である。
【図５】同吸汗速乾上着におけるポケットの部分の耐摩耗性生地を示す図である。
【考案を実施するための形態】
【００２２】
図１および図２において、１０は吸汗速乾上着である。この吸汗速乾上着１０は、上着本体１２と、この上着本体１２における要部すなわち摩耗しやすい箇所に取り付けられた耐摩耗性生地１４とを有した構造である。図示の例では、耐摩耗性生地１４は、上着本体１２における、肩の部分１６と、肘の部分１８と、左側のポケットの部分２０とに取り付けられている。図３は肩用耐摩耗性生地１４Ａを示し、図４は肘用耐摩耗性生地１４Ａを示し、図５はポケット用耐摩耗性生地１４Ｃを示す。
【００２３】
図示は省略するが、このほかにも、上着本体１２における襟の部分２２や、袖口の部分２４や、裾の部分２６や、その他の摩耗しやすい部分にも、必要に応じて耐摩耗性生地を取り付けることができる。このうち、袖口の部分２４に用いる場合は、ポリウレタン入りの横編みリブ仕様であるところのテレコニット生地として用いたり、アウトゴム付け仕様として用いたり、身生地を後ろに折り返して縫製を施した折り返し仕様として用いたりすることができる。裾の部分２６に用いる場合は、生地の切りっ放しであるところのフリーカット仕様として用いたり、上記と同様の折り返し仕様として用いたりすることができる。
【００２４】
上着本体１２は、ニット生地などの吸汗速乾生地にて構成されている。この吸汗速乾生地は、綿素材とコーデュラ（登録商標）素材とを混紡した糸にて構成されていることが、吸汗性と耐摩耗性すなわち破れにくさとの観点から好適である。
【００２５】
綿素材としては、一般的に知られているものを好適に用いることができる。コーデュラ素材は、耐久性に特に優れた素材であり、詳細には、ナイロン系の材料やポリエステル系の材料などにて構成されている。
【００２６】
そして上着本体１２は、綿素材２０〜６０質量％、コーデュラ素材８０〜４０質量％、合計１００質量％の混紡糸にて構成されていることが、吸汗性と耐摩耗性との両者をバランスよく発揮できることから好適である。綿素材の含有率が高くなるほど吸汗性が向上し、コーデュラ素材の含有率が高くなるほど耐摩耗性が向上する。この点で、綿素材６０質量％、コーデュラ素材４０質量％の混紡糸にて構成されていることが特に好ましい。
【００２７】
上着本体１２を構成する生地は、吸汗速乾性能を良好に発揮するために、それに適した構造であることが好適である。このような構造としては、メッシュ生地、天竺生地、鹿の子生地、ワッフル生地などを挙げることができる。他のニット生地として、フライス、ベア天竺、リブなどを挙げることができる。このようなものであると、良好な通気性を発揮することもできる。
【００２８】
上着本体１２を構成する生地は、吸汗速乾性能を特に良好に発揮するために、吸汗速乾仕上げが施されていることが好ましい。この吸汗速乾仕上げは、たとえば、染色工程において生地をセットする前に、吸汗速乾のための助剤を入れた槽に生地を通すことによって、行うことができる。あるいは、上着本体１２を構成する生地に綿素材を用いない場合において、この生地がポリエステル系などの異型断面合繊糸にて構成されているときにも、吸汗速乾性能を特に良好に発揮することができる。すなわち、着用者からの汗を迅速に拡散させて乾かせることができる。この異型断面糸の繊度は、５０〜４００デシテックスであることが好ましい。
【００２９】
上着本体１２を構成する生地の目付は、上着を構成する目的から、１６０〜２６０ｇ／ｍ２であることが好適である。これにより、軽量性と着心地の良好性とを両立させることができる。
【００３０】
耐摩耗性生地１４（１４Ａ、１４Ｂ、１４Ｃ）は、上着本体１２を構成する生地よりもコーデュラ素材の含有率が高い生地である。なかでも、コーデュラ素材１００質量％の糸にて構成されていることが好ましい。ナイロンコーデュラに代表されるコーデュラ素材は、耐摩耗性が特に優れており、耐破裂性にも優れ、しかも軽量かつ柔軟である。そして、耐摩耗性生地１４は、このようなコーデュラ素材を用いて、平織り、綾織り（ツイル）、ニット生地などにより生地を構成することによっても、耐摩耗性を良好に発揮することができる。
【００３１】
耐摩耗性生地１４の目付や、耐摩耗性生地１４を構成する糸の繊度などは、必要に応じて適宜に設定することができる。
【００３２】
上着本体１２への耐摩耗性生地１４の取付けは、適宜の手法によって行うことができる。なかでも、縫製による取付けや、接着による取付けが好ましい。縫製の場合は、本縫い、２本針、キルティングなどを使用することができる。接着の場合は、ＰＶＣ接着剤などを用いることができる。
【００３３】
上着本体１２および耐摩耗性生地１４を構成するコーデュラ素材は、任意に着色することができる。たとえば、上着本体１２は黒、白、ブルーなどに着色することができ、そのときに耐摩耗性生地１４は黒などに着色することができる。耐摩耗性生地１４の色を上着本体１２の色と相違させることで、吸汗速乾上着１０の装飾性や美観性を向上させることができる。
【００３４】
吸汗速乾上着１０の形態としては、図１および図２に示したものを、代表例として挙げることができる。このほかにも、ポロシャツの形態や、Ｔシャツの形態などとすることもできる。
【００３５】
吸汗速乾上着１０は、たとえば、生地を裁断したうえで縫製することによって、得ることができる。上着本体１２を構成する生地は、通常通りに裁断すれば良い。耐摩耗性生地１４を構成する生地は、図３〜図５に例示するように、上着本体１２における使用する部位に応じた形に裁断する。また各部位に使用する耐摩耗性生地１４は、図３〜図５において示すように、その周囲をステッチを使って縫い合わせる。図５に示されるポケット用耐摩耗性生地１４Ｃの場合は、そのポケット口のところに「カン止め」処理を施す。図１および図２に例示する吸汗速乾上着１０の場合は、左側の胸のポケット用耐摩耗性生地１４Ｃと、肩用耐摩耗性生地１４Ａと肘用耐摩耗性生地１４Ｂは、それぞれ、前身、袖に縫い合わせる。前身は、図示のように襟の部分２２を縫い合わせ、前側において丸型のボタン取付ける。次に本体とアームホールと襟とを縫い合わせる。裾の部分２６は、まず２本針で錠をかけ、２本針を折り返す。その幅はたとえば２．５ｃｍである。袖口の部分２４は、相応のテレコを付けて引き締める。最後に、アイロンを使って服の形を仕上げる。
【符号の説明】
【００３６】
１２    上着本体
１４    耐摩耗性生地
１４Ａ  肩用耐摩耗性生地
１４Ｂ  肘用耐摩耗性生地
１４Ｃ  ポケット用耐摩耗性生地
【図１】
0003224014.tif 000003
【図２】
0003224014.tif 000004
【図３】
0003224014.tif 000005
【図４】
0003224014.tif 000006
【図５】
0003224014.tif 000007
【手続補正書】
【提出日】令和1年9月20日(2019.9.20)
【手続補正１】
【補正対象書類名】実用新案登録請求の範囲
【補正対象項目名】全文
【補正方法】変更
【補正の内容】
【実用新案登録請求の範囲】
【請求項１】
ナイロン系またはポリエステル系の高対摩耗性素材を含有した吸汗速乾生地にて上着本体が構成され、前記上着本体における任意の要部に、前記上着本体よりも前記ナイロン系またはポリエステル系の高対摩耗性素材の含有率が高い耐摩耗性生地が取り付けられていることを特徴とする耐摩耗性を向上させた吸汗速乾上着。
【請求項２】
上着本体は、綿素材２０〜６０質量％、ナイロン系またはポリエステル系の高対摩耗性素材８０〜４０質量％、合計１００質量％の混紡糸にて構成され、耐摩耗性生地はナイロン系またはポリエステル系の高対摩耗性素材１００質量％の糸にて構成されていることを特徴とする請求項１記載の耐摩耗性を向上させた吸汗速乾上着。
【請求項３】
上着本体を構成する吸汗速乾生地は、メッシュ生地、天竺生地、鹿の子生地、ワッフル生地のいずれかにて構成されていることを特徴とする請求項１または２記載の耐摩耗性を向上させた吸汗速乾上着。
【請求項４】
耐摩耗性生地は、平織生地、綾織生地、ニット生地のいずれかにて構成されていることを特徴とする請求項１から３までのいずれか１項記載の耐摩耗性を向上させた吸汗速乾上着。
【請求項５】
上着本体を構成する吸汗速乾生地は、生地を吸汗速乾仕上げしたものと、吸汗速乾用の異形断面糸で構成された生地にて構成されたものとのいずれかであることを特徴とする請求項１から４までのいずれか１項記載の耐摩耗性を向上させた吸汗速乾上着。
【請求項６】
上着本体における襟、前立て、袖口、肘、肩、ポケット、裾の少なくともいずれかに耐摩耗性生地が取り付けられていることを特徴とする請求項１から５までのいずれか１項記載の耐摩耗性を向上させた吸汗速乾上着。
【請求項７】
上着本体へ耐摩耗性生地が縫製または接着によって取り付けられていることを特徴とする請求項１から５までのいずれか１項記載の耐摩耗性を向上させた吸汗速乾上着。